(57)【要約】【課題】土中試料を地盤内の原位置で、ピンポイントに採取でき、拡大根固め球根で土中試料を採取する場合、側壁付近や横方向の原位置での採取も可能とする土中試料の採取装置、該採取装置を設けたヘッド、および該ヘッドを用いた土中試料の採取方法を提供する。【解決手段】採取装置１を、油圧シリンダ機構により径方向外側に伸縮可能な拡径翼１５に対し、着脱可能に取り付けられるようにする。採取装置１は、外管２とその内側に収納される窓孔４付きの内管３からなる。外管２を拡径翼１５の油圧シリンダのシリンダ１５ａ部分の側面に取り付ける。内管３はその先端部を拡径翼１５のロッド１５ｂ部分に取り付ける。拡径翼１５を拡径させることで、内管３が外管２から突出し、原位置での土中試料を窓孔４から内管３内に取り込む。拡径翼１５を縮径させることで、内管３を外管２内に収納し、内管３内の土中試料を回収する。【選択図】    図１
2011012534.tif 000002
【特許請求の範囲】
【請求項１】
アースオーガの下端に接続され、径方向外側に伸縮可能な油圧シリンダ機構を備えてなるヘッドに設けられる土中試料の採取装置であって、外管と該外管の内側に収納される窓孔付きの内管を有し、前記油圧シリンダ機構の伸縮に連動して前記内管が前記外管から出入し、前記窓孔より土中試料が採取できるようになっていることを特徴とする土中試料の採取装置。
【請求項２】
前記外管は前記油圧シリンダ機構を構成するシリンダ部分の側面に取り付けられており、前記内管はその先端部が前記油圧シリンダ機構を構成するロッド部分に取り付けられており、前記油圧シリンダ機構を伸長方向に作動させることで、前記内管を前記外管から突出させ、前記ヘッドを回転させることで、土中試料を前記窓孔から前記内管内に取り込み、前記油圧シリンダ機構を短縮方向に作動させることで前記内管を前記外管内に収納し、取り込んだ前記土中試料を前記内管内に保持させて回収できるようにしたことを特徴とする請求項１記載の土中試料の採取装置。
【請求項３】
前記ヘッドは、油圧シリンダ機構により作動する拡径翼を備えた拡大ヘッドであることを特徴とする請求項２記載の土中試料の採取装置。
【請求項４】
前記外管は前記ヘッドの本体部分に取り付けられており、前記内管はその先端部が前記油圧シリンダ機構を構成するロッド部分に取り付けられており、前記油圧シリンダ機構を伸長方向に作動させることで、前記内管を前記外管から突出させ、前記ヘッドを回転させることで、土中試料を前記窓孔から前記内管内に取り込み、前記油圧シリンダ機構を短縮方向に作動させることで前記内管を前記外管内に収納し、取り込んだ前記土中試料を前記内管内に保持させて回収できるようにしたことを特徴とする請求項１記載の土中試料の採取装置。
【請求項５】
前記内管の後端部には、内管内に取り込まれた土中試料を取り出すための蓋が設けられていることを特徴とする請求項１、２、３または４記載の土中試料の採取装置。
【請求項６】
前記内管の後端部には、内管内への後からの流入物の侵入圧により先の流入物が抵抗を受けつつ、内管外へ流出可能な透孔またはスリットが設けられていることを特徴とする請求項１、２、３または４記載の土中試料の採取装置。
【請求項７】
アースオーガの下端に接続され、径方向外側に伸縮可能な油圧シリンダ機構を備えてなる採取ヘッドであって、前記油圧シリンダ機構を構成する部分に、請求項１、４、５または６記載の土中試料の採取装置が設けられていることを特徴とする採取ヘッド。
【請求項８】
アースオーガの下端に接続され、掘削刃と、油圧シリンダ機構により径方向外側に伸縮可能な拡大掘削するための拡径翼を備えてなる拡大ヘッドであって、前記拡径翼の前記油圧シリンダ機構を構成する部分に、請求項１、２、３、５または６記載の土中試料の採取装置が取り付けられていることを特徴とする拡大ヘッド。
【請求項９】
杭施工における既に充填されている未硬化状態の土中試料の採取方法であって、請求項７または８記載のヘッドを、所定の深度まで採取装置における内管を外管に収納したまま挿入し、該深度でアースオーガに接続された前記ヘッドの油圧シリンダ機構を伸長方向に作動させることで前記内管を前記外管から突出させ、前記窓孔より原位置での未硬化状態の土中試料を内管内に取り込み、その後、前記油圧シリンダ機構を短縮方向に作動させて前記内管を前記外管内に収納することにより、取り込んだ土中試料を内管内に保持したまま採取装置を地上に引き上げ、前記内管内の土中試料を回収することを特徴とする土中試料の採取方法。
【請求項１０】
杭施工における拡大根固め球根に充填しつつある、もしくは充填し終わった直後の未硬化状態の土中試料の採取方法であって、請求項８記載の拡大ヘッドをアースオーガに接続し、拡径翼を縮径させたまま拡大ヘッド回転させて掘進し、地盤内の所定の深度で前記拡大ヘッドの拡径翼を拡径させて拡大根固め球根の拡大掘削を行うとともに根固め液を充填し、充填中または充填直後の未硬化状態の根固め液または根固め液と土砂などの混合物からなる土中試料を、前記外管から突出している前記内管の窓孔より取り込み、その後、前記拡径翼を縮径させて前記内管を前記外管内に収納することにより、取り込んだ土中試料を内管内に保持したまま採取装置を地上に引き上げ、前記内管内の土中試料を回収することを特徴とする土中試料の採取方法。
【発明の詳細な説明】
【技術分野】
【０００１】
本発明は、アースオーガの下端に接続されるヘッドに着脱可能に取り付けて、地盤中の原位置（採取したい位置）の土中試料をピンポイントで採取するための土中試料の採取装置、該土中試料の採取装置を取り付けた拡大掘削可能な拡大ヘッド等のヘッド、および該ヘッドを用いた土中試料の採取方法に関するものである。
【０００２】
本発明に係る土中試料の採取装置は、主として杭施工における根固め液または根固め液と掘削土砂との混合物の採取を目的としたものであるが、それに限定されず、地質調査等のための土中試料一般の採取にも利用可能である。
【背景技術】
【０００３】
埋込み杭工法における支持力発現方法は、拡大根固め球根を築造し、この拡大根固め球根に杭先端部を設置することにより一体化を図ることが一般的である。
【０００４】
最近の高支持力杭工法の開発はめざましく、特に大きな支持力を得るためには、より大きな拡大根固め球根を機械的に拡大掘削し、より品質の高い拡大根固め球根を築造することが重要となっている。
【０００５】
ところが、拡大根固め球根は地下深く（例えば１０ｍ〜８０ｍ程度）、掘削孔が横方向に拡大されて築造されることから、該拡大根固め球根の様々な箇所（特に掘削孔の側壁の付近）で、決められた強度品質のものが築造できているかどうかを、直接確認できる有効な手法がなかった。
【０００６】
すなわち、根固め球根に用いる根固め液（例えば、水セメント比＝５０％〜１００％程度のセメントミルク）は、拡大掘削した該球根部に掘削ロッドやビット部分を介して所定量が注入される。その場合、原位置の一部土砂と根固め液とが攪拌混合されて拡大根固め球根として強度発現することになるが、これが必要強度を満足しているか否かが明確でなかった。
【０００７】
強度確認における現状の品質管理としては、例えば、セメントと水とをプラントで混練して得られた根固め液としての注入前のセメントミルクを採取して強度確認用供試体を作成し、圧縮強度試験等を実施している。
【０００８】
さらに、場合によっては、杭施工が完了し、根固め液の固化後、杭頭からコア採取するための掘削を行っている。しかし、杭長が深い場合、杭の中空部を掘削することから、掘削の鉛直度の問題や設置された杭自体の鉛直度の問題もあり、非常に難しい作業となり、コア採取できない場合も出てくる。しかも、球根自体にコアをあけることから、少なからず球根自体の健全性に問題を及ぼしかねない。
【０００９】
また、コア採取できたとしても、鉛直方向の原位置のコアしか採取できず、拡大根固め球根における掘削孔の側壁付近のコアは採取できない。また、いずれも原位置の土中試料とはなり難い。
【００１０】
上述のような問題を解決することを目的として、例えば特許文献１〜４に記載されるように、アースオーガなどの掘削機のロッド部分あるいは拡大ヘッド部分に、セメントミルクやソイルセメントなどの土中試料を取り込む採取器あるいは採取空間を形成したものも種々開発されている。
【００１１】
一方、拡大根固め球根の築造に関しては、アースオーガの先端に接続される拡大ヘッドの拡径翼について、掘削時の回転抵抗を利用して拡縮させるものや、拡縮のためのリンク機構を有するもの、さらに油圧式の拡縮機構を有するものなど、種々の構造のものが開発されている。
【００１２】
このうち、出願人が開発に関与したものとしては、特許文献５、６に記載されるように、内蔵させた油圧シリンダで、拡径翼を、直接、拡縮（伸縮）させるものがあり、油圧を必要とする反面、確実な拡縮ができるという利点がある。
【先行技術文献】
【特許文献】
【００１３】
【特許文献１】特開平０８−０４９４９０号公報
【特許文献２】特開平０８−１３５３６１号公報
【特許文献３】特開２００１−０７３３６０号公報
【特許文献４】特開２００６−２４１８２８号公報
【特許文献５】特開２００７−００９４５７号公報
【特許文献６】特開２００１−０７３６６４号公報
【発明の概要】
【発明が解決しようとする課題】
【００１４】
背景技術の項で述べたように、従来は、品質の高い拡大根固め球根を築造するにあたり、地下深く、かつ幅広に築造される拡大根固め球根等について、隅々までその強度品質を直接確認できる有効な手法がなかった。
【００１５】
また、前述した特許文献１〜３に記載されるものは、掘削機のロッドなど軸部分あるいは軸部分に近い位置での試料の採取しかできない上、採取器あるいは採取空間の開閉に別途、動力を必要としたり、ロッドの正回転、逆回転時の土圧を利用して開閉するものでは開閉動作に支障を来したり、逆回転時に土中試料に不要な土砂を混入させるなどの解決すべき課題が多く、正確な強度品質を確認する手段としては必ずしも有効ではなかった。
【００１６】
また、特許文献４に記載されるものは、土砂採取口が横にあり、サンプル土砂が採取し難い。また、土砂採取口を閉じるための平板状のシャッターを設けているが、シャッターとパイプとの間に隙間が生じるなどして密閉されない場合が起きる。
【００１７】
これに対し、本願の発明者は、特許文献５、６に記載されるような油圧シリンダ機構により径方向外側に伸縮可能な拡径翼を備えてなる拡大ヘッドについて、そのシリンダ機構を利用して、地下深くに充填された、また土砂と混合された拡大根固め球根における原位置の未硬化状態の根固め液、その他土中試料一般を原位置でのピンポイントで採取するための装置および方法の開発を行った。
【００１８】
すなわち、本願発明は、アースオーガの先端に接続されるヘッドを用いた土中試料の採取装置と採取方法であって、土中試料を地盤内の原位置で、ピンポイントに採取でき、拡大根固め球根で土中試料を採取する場合、該球根部の中央や深さ方向からの採取だけでなく、側壁付近や横方向の原位置での採取も可能とする土中試料の採取装置、該採取装置を取り付けたヘッド、および該ヘッドを用いた土中試料の採取方法を提供することを目的としている。
【課題を解決するための手段】
【００１９】
本願の請求項１に係る土中試料の採取装置は、アースオーガの下端に接続され、径方向外側に伸縮可能な油圧シリンダ機構を備えてなるヘッドに設けられる土中試料の採取装置であって、外管と該外管の内側に収納される窓孔付きの内管を有し、前記油圧シリンダ機構の伸縮に連動して前記内管が前記外管から出入し、前記窓孔より土中試料が採取できるようになっていることを特徴とするものである。
【００２０】
本発明では、ヘッドに設けられた油圧シリンダ機構により採取装置を作動させることを前提としており、具体的には、その油圧シリンダ機構を利用して二重管構造の採取装置の内管が外管から径方向外側に出入するようにしたものであり、別途、該出入のための動力等は必要としない。
【００２１】
なお、上記の油圧シリンダ機構としては、従来、油圧シリンダ機構で拡縮する形式の拡径翼に用いられている油圧シリンダ機構をそのまま利用することができるが、拡径翼を構成せず上記のように内管を作動させるための専用の油圧シリンダ機構を設けてもよい。
【００２２】
特許文献５に示すような油圧シリンダ機構により径方向外側に伸縮可能な拡径翼を利用する場合、拡径翼自体、内蔵される油圧シリンダ機構で伸縮する形式であるため、拡径時にアースオーガのロッドを逆回転させる必要がない。
【００２３】
拡大根固め球根築造方法としての従来一般的な拡大ヘッドはアースオーガの逆転によって拡径翼が拡大する機構が多い。しかし、拡大ヘッドの直上にスパイラルロッドが装着されている場合などでは、逆転することによって掘削土砂が拡大根固め球根内に入り込み、拡大根固め球根内の根固め液に対する土砂の混合比率が増加することや、混ざり具合の悪さなどの影響で拡大根固め球根の強度低下を招くことがある。
【００２４】
本発明で用いるヘッドでは、拡径翼を備える拡大ヘッド場合も、油圧シリンダ機構で伸縮する形式であるため、拡大掘削等も正回転で行うことができ、充填する根固め液に対し、不要な掘削土砂の混合が少なく、質の高い拡大根固め球根を得ることができる。
【００２５】
本発明の土中試料の採取装置は、ヘッド自体に設けられるかヘッドに着脱可能に取り付けられる。これによって、拡大根固め球根からの土中試料の採取が容易となる。
【００２６】
ヘッドに対する本発明の土中試料の採取装置の取り付けは、例えば該採取装置に設けた取付用鋼製板等の点溶接などによって行うことができる。点溶接の場合、接合部を特に加工する必要がなく、拡大ヘッドによる掘削時にも外れることがなく、該採取装置を拡大ヘッドから取り外す際にはバールなどの道具を用いて簡単に取り外すことができる。もちろん、接合部に加工を施し、ボルトなどで取り付けるようにすることもできる。
【００２７】
本発明の土中試料の採取装置は、前述の通り、内管と外管からなる二重管構造となっており、内管には土中試料を採取するための窓孔は設けられている。そして、油圧シリンダ機構による伸縮動作に連動して、前記内管が前記外管から出入することにより、前記内管の窓孔が開いたり閉じたりするようになっている。このような構造とすることにより、土中試料をピンポイントで採取でき、また採取した土中試料を密閉状態で地上まで運び、確実に回収することができる。
【００２８】
また、前記外管と内管は、それぞれがヘッドに別個に設けられている。これによって、ヘッドにおける油圧シリンダ機構による動作に連動させて前記内管を動作させることが容易となる。また、採取した土中試料を回収しやすく、採取装置の掃除もしやすい。なお、外管および内管は円筒管に限らず、両方または一方が角管であってもよい。
【００２９】
本発明の主な適用対象である杭工事の場合、アースオーガによる掘削時には水あるいはベントナイト泥水などの掘削液を用いて掘削を行う場合が多く、その場合、掘削孔および拡大掘削による根固め球根部は掘削液が満たされた状態となる。
【００３０】
根固め球根部については、根固め液として富配合のセメントミルクなどを用いることが多く、高い強度を必要とする場合は掘削泥水あるいは土砂の混合量を少なくすることが望ましい。例えば、地盤中（掘削孔内）に充填された土中試料を採取する場合、本発明では、油圧シリンダ機構による伸長動作に連動して原位置（採取位置）で採取装置の内管が外管から突出し、地盤中（掘削孔内）で攪拌された未硬化の状態の根固め液あるいは根固め液と土砂などの攪拌混合物（土中試料）が窓孔から内管内に侵入する。
【００３１】
その後、油圧シリンダ機構を短縮方向に作動させることで、それに連動して採取位置で内管が外管内に収納され窓孔が外管の内面で塞がれ、その状態でヘッドを地上まで引き上げることで、地盤中の必要位置の土中試料をピンポイントで採取することができる。この採取した土中試料について、硬化後の圧縮強度の測定、その他の試験を行うことで、実施工による地盤内の硬化体の強度、品質等を正確に求めることができる。
【００３２】
なお、土中試料は、対象となる土中試料の種類や経過時間等によって異なるが、杭工事で採取しようとする未硬化の試料は比較的粘性の高いものが多く、逆に掘削液は流動性がよいので、必ずしも採取装置の窓を閉じた状態にする必要はない。逆に、閉じずに、透孔やスリットなどを設けることで、掘削液等の採取しようとする土中試料以外のものが採取装置に入ってきた場合は、そこから漏出させることで除去することもできる。
【００３３】
請求項２は、請求項１に係る土中試料の採取装置において、前記外管は前記油圧シリンダ機構を構成するシリンダ部分の側面に取り付けられており、前記内管はその先端部が前記油圧シリンダ機構を構成するロッド部分に取り付けられており、前記油圧シリンダ機構を伸長方向に作動させることで、前記内管を前記外管から突出させ、前記ヘッドを回転させることで、土中試料を前記窓孔から前記内管内に取り込み、前記油圧シリンダ機構を短縮方向に作動させることで前記内管を前記外管内に収納し、取り込んだ前記土中試料を前記内管内に保持させて回収できるようにしたことを特徴とするものである。
【００３４】
本発明の採取装置は、別途、動力等は必要とせずに、ヘッドの油圧シリンダ機構による伸縮動作を利用してヘッドに設けた二重管構造の採取装置の土中試料を採取するための窓孔のある内管が外管から出入するようにしたものであり、請求項２では内管と外管が別個に取り付けられている場合の具体的な形態として、外管が油圧シリンダ機構を構成するシリンダ部分の側面に取り付けられ、内管の先端部が油圧シリンダ機構を構成するロッド部分に取り付けられている場合を限定したものである。
【００３５】
このようにすることで、内管の出入動作も、油圧シリンダ機構による伸縮動作の動力を利用することができる。また、窓孔を内管の先端部に設けることにより、今まで採取しにくかった拡大根固め球根側壁付近の土中試料も容易に採取することができる。
【００３６】
なお、ここでいうシリンダ部分やロッド部分は、例えば油圧シリンダの保護のためのカバーを有する場合、カバー部分も含めたシリンダ部分やロッド部分である。
【００３７】
請求項３は、請求項２に係る土中試料の採取装置において、前記ヘッドが、油圧シリンダ機構により作動する拡径翼を備えた拡大ヘッドであることを特徴とするものである。
【００３８】
この場合、拡大ヘッドが拡大根固め球根の拡大掘削のための拡大ヘッドと土中試料の採取用のヘッドを兼ねるようにすることができる。また、油圧シリンダ機構で拡縮する形式の拡径翼に用いられている油圧シリンダ機構をそのまま利用することもできる。
【００３９】
請求項４は、請求項１に係る土中試料の採取装置において、前記外管は前記ヘッドの本体部分に取り付けられており、前記内管はその先端部が前記油圧シリンダ機構を構成するロッド部分に取り付けられており、前記油圧シリンダ機構を伸長方向に作動させることで、前記内管を前記外管から突出させ、前記ヘッドを回転させることで、土中試料を前記窓孔から前記内管内に取り込み、前記油圧シリンダ機構を短縮方向に作動させることで前記内管を前記外管内に収納し、取り込んだ前記土中試料を前記内管内に保持させて回収できるようにしたことを特徴とするものである。
【００４０】
請求項２では外管が油圧シリンダ機構を構成するシリンダ部分の側面に取り付けられている場合であるのに対し、請求項４では外管がヘッドの本体部分に取り付けられている場合を限定したものである。特許文献５に示されている拡径翼を改造して採取装置にする場合、シリンダ部分を外管として利用することもできる。
【００４１】
内管の出入動作や、油圧シリンダ機構による伸縮動作の動力を利用する点、窓孔を内管の先端部に設けることにより、今まで採取しにくかった拡大根固め球根側壁付近の土中試料も容易に採取することができる点などは、請求項２の場合と同様であるが、外管をヘッドの径方向内側に近づけることで、ヘッド全体をよりコンパクトな構造とすることができる。
【００４２】
請求項５は、請求項１〜４に係る土中試料の採取装置において、前記内管の後端部には、内管内に取り込まれた土中試料を取り出すための蓋が設けられていることを特徴とするものである。
【００４３】
地上に引き上げられた採取装置の内管から、採取した土中試料を回収する際、ヘッドごと傾けて取り出すのは危険であり、またヘッドから採取装置を取り外すことも考えられるが、内管の後端部に開閉可能なあるいは取り外し可能な蓋を設けておけば、蓋を開けて内部の土中試料を簡単に取り出すことができる。
【００４４】
請求項６は、請求項１〜４に係る土中試料の採取装置において、前記内管の後端部には、内管内への後からの流入物の侵入圧により先の流入物が抵抗を受けつつ、内管外へ流出可能な透孔またはスリットが設けられていることを特徴とするものである。
【００４５】
ここで言う後からの流入物とは、比較的粘性の高い未硬化の採取試料等である。先の流入物とは、採取試料以外に、先に内管内に流入してくるものであり、掘削液や根固め液に不均一に掘削液や一部掘削土砂が混じった比較的流動性のよいものである。
【００４６】
根固め液中、あるいは土中で拡径翼を伸長し、内管を外管から突出させて窓孔を開いた場合、例えば未硬化の根固め液と掘削液や掘削土砂からなる土中試料が不均一になっていると、流動性のある未硬化の根固め液等（先の流入物）は、内管の窓孔から直ちに内管内に侵入するが、施工終了後の均一に攪拌混合された状態の土中試料を採取するためには先の流入物で内管内が閉塞されないようにすることが望ましい。
【００４７】
請求項６では、内管の後端部に透孔またはスリットを設けることで、先の流入物が抵抗を受けつつ、内管外へ流出し、内管の閉塞を防止することができる。
【００４８】
請求項７に係る発明は、アースオーガの下端に接続され、径方向外側に伸縮可能な油圧シリンダ機構を備えてなる採取ヘッドであって、前記油圧シリンダ機構を構成する部分に、請求項１、４、５または６に係る土中試料の採取装置が設けられていることを特徴とするものである。
【００４９】
ここで言う採取ヘッドとは、土中試料採取装置からなる土中試料採取専用のヘッドを言い、採取装置をヘッド本体に設けた状態では、ヘッドと採取装置とを一体に取り扱うことができる。この採取ヘッドは、未硬化の根固め液等が充填された拡大根固め球根から土中試料を採取するために専用に用いられる。発明の効果は請求項１〜６と同様である。
【００５０】
請求項８に係る発明は、アースオーガの下端に接続され、アースオーガの下端に接続され、掘削刃と、油圧シリンダ機構により径方向外側に伸縮可能な拡大掘削するための拡径翼を備えてなる拡大ヘッドであって、前記拡径翼の前記油圧シリンダ機構を構成する部分に、請求項１、２、３、５または６に係る土中試料の採取装置が取り付けられていることを特徴とするものである。
【００５１】
この請求項８は、特に油圧シリンダ機構が拡大ヘッドの拡径翼を構成している場合であり、拡大ヘッドが拡大根固め球根の拡大掘削のための拡大ヘッドと土中試料の採取用の拡大ヘッドを兼ねている場合である。
【００５２】
請求項９に係る土中試料の採取方法は、杭施工における既に充填されている未硬化状態の土中試料の採取方法であって、請求項７または８に係るヘッドを、所定の深度まで採取装置における内管を外管に収納したまま挿入し、該深度でアースオーガに接続された前記ヘッドの油圧シリンダ機構を伸長方向に作動させることで前記内管を前記外管から突出させ、前記窓孔より原位置での未硬化状態の土中試料を内管内に取り込み、その後、前記油圧シリンダ機構を短縮方向に作動させて前記内管を前記外管内に収納することにより、取り込んだ土中試料を内管内に保持したまま採取装置を地上に引き上げ、前記内管内の土中試料を回収することを特徴とするものである。
【００５３】
請求項９は、主としてアースオーガによる杭孔の掘削、拡大根固め球根部の拡大掘削、根固め液の充填、根固め液と一部残った掘削液や掘削土砂との攪拌混合などが完了した後、一旦、アースオーガを引き上げ、アースオーガのヘッドを予め本発明に係る採取装置を備えた採取ヘッド等のヘッドに交換し、該ヘッドを所定の深さまでは外管内に内管を収納した状態で杭孔内に挿入し、試料を採取する所定の深さでヘッドの油圧シリンダ機構を伸長方向に作動させて内管を記外管から突出させ、原位置で窓孔より未硬化状態の根固め液あるいは根固め液と土砂等の混合物（土中試料）を内管内に取り込み、採取するというように、掘削孔への充填完了後に採取する場合の採取方法である。
【００５４】
なお、前記杭孔の掘削、拡大根固め球根の拡大掘削、根固め液の充填、攪拌混合等は、他の装置、他の工法で行い、土中試料の採取だけのために、その杭孔にアースオーガに本発明の採取装置を設けたヘッドを挿入し、土中試料の採取を行うこともできる。
【００５５】
この採取方法を用いれば、実施工で充填された原位置の採取試料を確実に採取することができる。また、採取装置を設けるヘッドの大きさを変えれば、拡大根固め球根における種々の位置での土中試料を採取することができる。さらには、拡大根固め球根位置に限らず、それより上方の杭周位置における杭周固定液や杭周固定液と掘削土砂との混合物についての原位置での土中試料の採取等にも用いることができる。採取する際、ヘッドはゆっくり回転させることが好ましい。
【００５６】
請求項１０に係る土中試料の採取方法は、杭施工における拡大根固め球根に充填しつつある、もしくは充填し終わった直後の未硬化状態の土中試料の採取方法であって、請求項８に係る拡大ヘッドをアースオーガに接続し、拡径翼を縮径させたまま拡大ヘッド回転させて掘進し、地盤内の所定の深度で前記拡大ヘッドの拡径翼を拡径させて拡大根固め球根の拡大掘削を行うとともに根固め液を充填し、充填中または充填直後の未硬化状態の根固め液または根固め液と土砂などの混合物からなる土中試料を、前記外管から突出している前記内管の窓孔より取り込み、その後、前記拡径翼を縮径させて前記内管を前記外管内に収納することにより、取り込んだ土中試料を内管内に保持したまま採取装置を地上に引き上げ、前記内管内の土中試料を回収することを特徴とするものである。
【００５７】
請求項１０は、主として、削孔するためのアースオーガに接続する拡大ヘッドの攪拌翼に、あらかじめ、本発明に係る土中試料採取装置を取り付けておき、アースオーガによる杭孔の掘削、拡大根固め球根の拡大掘削後に、根固め液の充填、もしくは一部残った掘削液や掘削土砂と攪拌混合しながら根固め液を充填すると同時に、もしくは充填が完了した直後に、外管から突出させた内管の窓孔より未硬化状態の根固め液あるいは根固め液と土砂等の混合物を内管内に取り込み、採取する場合である。
【００５８】
この採取方法を用いれば、実施工で充填されている、もしくは充填された土中試料をピンポイントでタイムリーに採取できる。また、請求項８に係る採取方法のように、アースオーガを一旦引き上げ、拡大ヘッドを採取装置を設けたヘッドに交換する必要がないので、手間が省ける。
【発明の効果】
【００５９】
本発明によれば、土中試料を地盤内の原位置で、ピンポイントで採取でき、拡大根固め球根で土中試料を採取する場合、該球根部の中央や深さ方向からの採取だけでなく、側壁付近や横方向の原位置での採取ができる。
【００６０】
また、本発明は拡大掘削が正回転で掘削可能な油圧シリンダ機構を有する拡大ヘッドを用いることで、これに採取装置を取り付ければ、杭工事における土中試料採取の場合でも正回転で掘削撹拌状態そのものの土中試料を採取することができ、実施工での充填物の正確な強度、品質を確認することができる。
【００６１】
特許文献１〜３等、従来の提案されている多くの採取装置では、拡大根固め球根の中央付近の位置でしか土中試料の採取ができないのに対し、本発明によればヘッドの軸部から離れた位置の拡径翼先端付近（拡大根固め球根の側壁付近）の土中試料が採取可能であり、拡大根固め球根における位置の違いによる偏りやバラツキも確認できるので、より正確な判定が可能となる。
【００６２】
ヘッドの油圧シリンダ機構を短縮方向に作動させることにより、採取装置の内管は外管内に収納され、内管に設けられた窓孔も閉塞され、採取試料が内管内に密閉される構造であるため、必要な箇所（原位置）の土中試料をピンポイントで採取できるとともに、採取した試料が採取してから回収するまでの間に他位置の土中物と混合されてしまう恐れがないので、各位置での土中試料の強度品質を正確に把握することができる。
【図面の簡単な説明】
【００６３】
【図１】(b)は本発明の実施例１における土中試料の採取装置が取り付けられるシリンダ機構により拡径翼が伸縮する拡大ヘッドの正面図、(c)は同じく側面図、(d)は同じく底面図、(a)は拡大ヘッドへの土中試料の採取装置の取付け状態を示す平面図である。
【図２】(a)は本発明の土中試料の採取装置の透視斜視図、(b)は内管から外管が出て窓孔が開いた状態の平面図、(c)は内管から外管が出て窓孔が開いた状態の正面図、(d)は内管が外管内に入り窓孔が閉じた状態の正面図である。
【図３】(a)〜(f)は、拡大根固め球根における本発明の土中試料の採取方法の実施形態における手順を示す断面図である。
【図４】(a)は本発明の実施例３における採取ヘッドに設けられた土中試料の採取装置の平面図、(b)は採取ヘッドの正面図、(c)は同じく側面図、(d)は同じく底面図である。
【図５】(a)は実施例３における採取ヘッドのより詳細な構造を示す水平断面図、(b)は油圧シリンダと採取装置先端の連結部分の詳細を示す側面図である。
【発明を実施するための形態】
【００６４】
以下、本発明の具体的な実施の形態について説明する。なお、本発明は、以下に説明する実施形態に限定されるものではない。
【実施例１】
【００６５】
実施例１は、拡大ヘッドを用いた採取装置の実施例である。
【００６６】
図１は、本発明の土中試料の採取装置１（以下、単に採取装置という）が取り付けられるシリンダ機構により拡径翼１５が伸縮する拡大ヘッド１１の一実施形態（実施例１）を示したもので、図１(b)〜(d)は、それぞれ採取装置１を取り付けていない状態の拡大ヘッド１１の正面図、側面図、底面図であり、図１(a)は拡大ヘッド１１に採取装置１を取り付けた状態を示す平面図である。
【００６７】
なお、図１では、軸部１２を挟み水平方向に設けられた油圧シリンダを内蔵する１対の拡径翼１５の一方が伸び、他方が縮んでいる状態を示しているが、実際には２つの拡径翼１５が同時に伸び、同時に縮むように制御する。また、図１(a)の上方には拡径翼１５の伸長に伴い、これに取り付けた二重管構造の採取装置１も伸び、内管３が外管２から突出している状態を示し、下方には、拡径翼１５が縮んでいる状態に対応して、採取装置１も縮み、内管３が外管２内に収納されている状態を示している。採取装置１はこのように一つのヘッドに２個取り付けてもよい。
【００６８】
図１に示した拡大ヘッド１１の基本部分は既存のものであり、下端に先端ビット１３ａを複数備えた掘削刃１３を有し、その上方に掘削土砂を上方へ押し上げる２枚の螺線翼１４が設けられ、その２枚の螺線翼１４間に軸部１２を挟んで互いに逆方向へ伸縮可能な撹拌用の拡径翼１５が設けられている。
【００６９】
拡径翼１５は、特許文献５、６に記載されたものと同様の機構を有するものであり、内蔵した油圧シリンダのロッド１５ｂが油圧によりシリンダ１５ａから出入することで、径方向外側に伸縮するようになっている。また、ロッド１５ｂの先端には主として拡大根固め球根の掘削のための掘削爪１５ｃが設けられている。
【００７０】
拡大ヘッド１１の上端は雄継手１６が形成されアースオーガ等のロッドに接続できるようになっている。また、軸部１２にはアースオーガ等のロッドの配管と接続される配管が設けられており、下端部の吐出口１７から掘削液や根固め液を吐出できるようになっている。
【００７１】
この拡大ヘッド１１は、拡径翼１５が油圧により強制的に伸縮するため、拡大根固め球根の拡大掘削時にも逆回転させる必要がなく、常に正回転で施工できるため、螺線翼が土砂を押し下げて根固め液に土砂が大量に混ざってしまうことにより、根固めの強度を低下させるといった問題がない。
【００７２】
採取装置１は、図２をもとに後に詳述するように、外管２の内側に内管３が収納される二重管構造になっており、これら外管２と内管３は拡径翼１５に対し、別個に取り付けられている。図１の実施形態では、外管２は２枚の外管取付け板６ａ、６ｂにより、拡径翼１５の油圧シリンダ機構を構成するシリンダ１５ａ部分の側面に点溶接などで取り付けられ、また内管３の先端部が内管取付け板７により拡径翼１５のロッド１５ｂの先端部分側面に点溶接などで取り付けられている。
【００７３】
油圧により拡径翼１５を拡径させると、ロッド１５ｂの伸長に連動して内管３が外管２から突出し、拡大ヘッド１１の回転により、土中の撹拌された未硬化の根固め液あるいは根固め液と土砂の混合物（土中試料）が内管３に形成された窓孔４から内管３内に取り込まれ、拡径翼１５を縮径させると、ロッド１５ｂの移動に連動して内管３が外管２内に収納され、取り込んだ土中試料を内管３内に保持した状態で回収することができる。
【００７４】
図２は、本発明の採取装置１の具体例を示したもので、(a)は採取装置１の構造を示す透視斜視図、(b)は採取装置１が伸びた状態の平面図、(c)は採取装置１の内管３が伸びた状態の正面図、(d)は採取装置１の内管３が縮まった状態の正面図である。
【００７５】
採取装置１の寸法は特に限定されないが、例えば縮まった状態の長さが２５０〜８００ｍｍ程度、伸びた状態の長さが４００ｍｍ〜９５０ｍｍ程度、外管２の径が８０〜２５０ｍｍ程度、内管３の外径が６０〜２２０ｍｍ程度であり、内管３は外管２に対し、スムーズに出入できる隙間を残して、外管２内に収まる構造となっている。なお、外管２および内管３は、円管に限らず角管でもよい。
【００７６】
前述したように、基本的には、採取装置１の外管２が２枚の外管取付け板６ａ、６ｂにより、拡径翼１５のシリンダ１５ａ部分の側面に点溶接などで取り付けられ、内管３の先端部が内管取付け板７により拡径翼１５のロッド１５ａの先端部分側面に点溶接などで取り付けられるようになっているが、より具体的には図中、１８ａ、１８ｂ、１８ｃで示すシリンダ側取付け板と外管取付け板６ａ、６ｂおよび内管取付け板７とがボルトなどで接合され、シリンダ側取付け板１８ａ、１８ｂ、１８ｃを拡径翼１５に点溶接している。
【００７７】
本実施形態においては、円筒状の内管３の上面に土中試料を取り込むための窓孔４が形成され、先端側は蓋５で閉塞されている。先端側を蓋で閉塞しておいた方が採取試料を内管３の窓孔４に取り込みやすくなるので好ましい。窓孔４の寸法、形状、位置、数等は特に限定されない。図２では、先端近くに１つ設けてある。
【００７８】
窓孔４は、内管３が外管２から出ている時（図２(b)）に開口し、内管３が外管２内に引っ込んでいる時（図２(d)）に閉口する。
【００７９】
内管３の後端と中間の一箇所には、それぞれゴム板取付け板８ａ、８ｂを介して、ウレタン製のゴム板９ａ、９ｂが取り付けられている。ゴム板９ａ、９ｂにはそれぞれ複数の貫通孔（透孔）１０が形成されており、未硬化の根固め液あるいは根固め液と土砂の混合物などの土中試料である後からの流入物を取り込む際、ゴム板９ａ、９ｂで抵抗を与えつつ、採取試料以外の先の流入物を内管３の外に放出させ、土中試料が確実に取り込めるようにしている。
【００８０】
貫通孔１０の形状はスリット状にしてもよく、大きさや数は特に限定されない。流動性の高い流入物は速やかに放出され、粘性が高く流動性の低い流入物は留まるようになっているのが好ましい。したがって、流動性の高い土中試料の採取には、この形状の採取装置は向かない。
【実施例２】
【００８１】
実施例２は、拡大ヘッドを用いた採取装置による土中試料の採取方法の実施例である。
【００８２】
図３は、本発明の土中試料の採取方法の一実施形態として、オプションとしての電気比抵抗測定を併用した場合の作業手順を示したもので、以下の手順で作業が行われる。
【００８３】
(1) 所定深度まで掘削（図３(a)）
アースオーガ２１などの掘削機械を用い、先端に取り付けた拡大ヘッド１１の拡径翼１５を閉縮させた状態で、ロッドを正回転させて、所定深度まで杭孔２２を掘削する。
【００８４】
(2) 拡大根固め球根の拡大掘削（図３(b)）
アースオーガ２１に接続した拡大ヘッド１１（拡大ヘッドＡ）の拡径翼１５を油圧で拡径させ、ロッドを正回転させて、拡大根固め球根２３の拡大掘削を行う。
【００８５】
(3) 拡大ヘッドの交換、泥水の電気比抵抗測定（図３(c)）
拡大ヘッド１１（拡大ヘッドＡ）を、図１、図２に示した採取装置１と、拡径翼１５（図１参照）の上部に電気比抵抗コーン（図示省略）を取り付けたもの（拡大ヘッドＢ）と交換し、拡大根固め球根２３に挿入し、泥水の電気抵抗測定を行う。
【００８６】
(4) 根固め液注入、根固め築造（図３(d)）
再び、拡大ヘッド１１（拡大ヘッドＢ）をもとの拡大ヘッド１１（拡大ヘッドＡ）に交換し、拡大ヘッド１１（拡大ヘッドＡ）を正回転させながら、拡大ヘッド１１の先端部からセメントミルクなどの根固め液２４を拡大根固め球根２３に注入、充填し、拡大根固め球根の築造を行う。
【００８７】
(5) 根固め液採取、電気比抵抗測定（図３(e)）
再び、拡大ヘッド１１（拡大ヘッドＡ）を、採取装置１を取り付けた拡大ヘッド１１（拡大ヘッドＢ）に交換し、これを拡大根固め球根２３に挿入し、例えば、根固め築造直後および１時間後というように、時間をおいて、拡大根固め球根２３に充填されている原位置での未硬化状態の根固め液あるいは根固め液と土砂の混合物（土中試料）の採取および根固め液の電気比抵抗測定を行う。
【００８８】
なお、採取は、拡大ヘッド１１（拡大ヘッドＢ）の拡径翼１５を縮径させた状態で、拡大根固め球根２３の採取深さまで挿入し、拡大ヘッド１１（拡大ヘッドＢ）を回転させながら拡径翼１５を伸長し、窓孔を開いて採取する。
【００８９】
(6) 引き上げ（図３(f)）
予定の試料採取および電気比抵抗測定が完了したら、拡径翼１５を縮径し、採取試料を内管３内に密閉保持したまま、アースオーガ２１とともに拡大ヘッド１１（拡大ヘッドＢ）を引き上げる。採取した土中試料は、圧縮強度試験、その他の試験を行い、強度、品質等を確認する。
【００９０】
なお、本実施形態では本発明の採取装置による土中試料の採取と平行して、電気比抵抗測定を併用することで、泥水が逸水していないか、根固め液がきちんと充填されているか、掘削攪拌状況が均一であるかどうかなど、攪拌効果がその場で確認でき、トータルな拡大根固め球根の管理システムとなる。
【００９１】
また、最初から拡大ヘッドＢ（ただし、電気比抵抗コーンはとりつけられていない）を用いて掘削と土中試料の採取を行う場合は、図３(c)と図３(d)に示されるヘッドの交換、図３(c)と図３(e)に示される電気比抵抗の測定は省力される。
【実施例３】
【００９２】
実施例３は、土中試料の採取専用の採取ヘッドを用いた採取装置の実施例である。
【００９３】
図４は、土中試料の採取装置が油圧シリンダ機構により径方向に伸縮するようにした採取ヘッド４１の実施形態（実施例３）を示したもので、図４(a)は採取ヘッドにおける土中試料の採取装置の設置状態を示す平面図、図４(b)〜(d)は、それぞれ正面図、側面図、底面図である。
【００９４】
また、図５(a)は実施例３における採取ヘッド４１のより詳細な構造を示す水平断面図、図５(b)は油圧シリンダ４５と採取装置３１先端の連結部分の詳細を示す側面図である。
【００９５】
なお、この実施例３の採取ヘッドは、特許文献５に示されるような従来の油圧シリンダ機構により径方向外側に伸縮可能な一対の拡径翼を備えてなる拡大ヘッドを基に加工し、土中試料の採取専用の採取ヘッド４１としたものである。
【００９６】
すなわち、一方の拡径翼については、拡径翼を構成していた油圧シリンダ４５のロッド先端の掘削爪を外して、連結用フランジ４５ｃを取り付け、他方の拡径翼については、油圧シリンダのシリンダ部分の筒を採取装置３１の外管３２として残し、外管３２を貫通するように採取装置３１の内管３３を設けている。
【００９７】
採取装置３１の内管３３の先端は、連結アーム３７を介して、油圧シリンダ４５のロッド先端に取り付けた連結用フランジ４５ｃと連結され、油圧シリンダ４５の伸縮に連動して、外管３２から内管３３が出入するようになっている。
【００９８】
内管３３には、実施例１と同様に窓孔４４が形成されており、油圧シリンダ４５を伸長させると、ロッド４５ｂの伸長に連動して採取装置３１の内管３３が外管３２から突出し、採取ヘッド４１の回転により、土中の撹拌された未硬化の根固め液あるいは根固め液と土砂の混合物（土中試料）が内管３３に形成された窓孔３４から内管３３内に取り込まれ、油圧シリンダ４５を縮めると、ロッド４５ｂの移動に連動して内管３３が外管３２内に収納され、取り込んだ土中試料を内管３３内に保持した状態で回収することができる。
【００９９】
また、実施例３においては、内管３３の後端部には、内管３３内に取り込まれた土中試料を取り出すための蓋３５が設けられており、地上に引き上げられた採取装置３１の内管３３から、採取した土中試料を回収する際、この蓋３５を開けて内部の土中試料を簡単に取り出すことができる。
【０１００】
図示した例では蓋３５がねじ式に取り付けられており、締め付け方向と反対方向に回転させることで、蓋３５を取り外すことができるが、蓋３５の開閉方式はこれに限定されるものではなく、種々考えられる。
【０１０１】
その他の構成や、使用方法は、実施例１と同様である。すなわち、図３に示す作業手順で、前記拡大ヘッドＢに代えて採取ヘッド４１を用いて土中試料を採取することができる。
【０１０２】
また、採取装置３１の寸法も特に限定されず、実施例１の場合と同様、外管３２の径が８０〜２５０ｍｍ程度、内管３３の外径が６０〜２２０ｍｍ程度であり、内管３３は外管３２に対し、スムーズに出入できる隙間を残して、外管２内に収まる構造となっている。なお、外管３２の内面と内管３３の外面との間にはＯリングを介在させるなどして土中試料の漏れなどを防ぐようにすることが望ましい。
【産業上の利用可能性】
【０１０３】
本発明に係る土中試料の採取装置および採取方法は、主として杭施工における根固め液または根固め液と掘削土砂との混合物（土中試料）の採取を目的としたものであるが、それに限定されず、地質調査等のための土中試料一般の採取にも利用可能である。
【符号の説明】
【０１０４】
１…採取装置、２…外管、３…内管、４…窓孔、５…蓋、６ａ、６ｂ…外管取付け板、７…内管取付け板、８ａ、８ｂ…ゴム板取付け板、９ａ、９ｂ…ゴム板、１０…貫通孔、
１１…拡大ヘッド、１２…軸部、１３…掘削刃、１３ａ…先端ビット、１４…螺線翼、１５…拡径翼、１５ａ…シリンダ、１５ｂ…ロッド、１５ｃ…掘削爪、１６…雄継手、１７…吐出口、１８ａ、１８ｂ、１８ｃ…シリンダ側取付け板、
２１…アースオーガ、２２…杭孔、２３…拡大根固め球根、２４…根固め液
３１…採取装置、３２…外管、３３…内管、３４…窓孔、３５…蓋、３７…連結アーム、
４１…採取ヘッド、４２…軸部、４３…掘削刃、４３ａ…先端ビット、４４…螺線翼、４５…油圧シリンダ、４５ａ…シリンダ、４５ｂ…ロッド、４５ｃ…連結用フランジ、４６…雄継手、４７…吐出口
【図１】
2011012534.tif 000003
【図２】
2011012534.tif 000004
【図３】
2011012534.tif 000005
【図４】
2011012534.tif 000006
【図５】
2011012534.tif 000007